(57)【要約】  通信ネットワークにおいてデータフレーム（４０２）に基づいてデータ伝送スキームを構成する方法であって、この通信ネットワークにおける通信は、第１及び第２のデータ伝送路を介したダウンリンク及びアップリンクデータ伝送（４０６、４０７、４０８、４１０、４１２）を含むデータ伝送（４００）を含み、第１及び第２のデータ伝送路は、それぞれの第１及び第２のダウンリンクデータ伝送路及びそれぞれの第１及び第２のアップリンクデータ伝送路を含み、第２のデータ伝送路を介したダウンリンクデータ伝送は、第１のダウンリンクデータ伝送路を介したダウンリンクデータ伝送（４０７、４０８）に対して遅延され、この方法は、基地局によって実行され、データ伝送のペイロードデータの処理に関連する基地局の処理時間が短縮されないようにデータ伝送スキームを構成するステップを含む。【選択図】図４
2013541279.tif 000002
【特許請求の範囲】
【請求項１】
通信ネットワークにおいてデータフレーム（４０２、６０２ａ、ｂ）に基づいてデータ伝送スキームを構成する方法であって、
前記通信ネットワークにおける通信が、第１及び第２のデータ伝送路を介したダウンリンク及びアップリンクデータ伝送（４０６、４０７、４０８、４１０、４１２、６０６ａ、ｂ、６０７ａ、ｂ、６０８ａ、ｂ、６１０ａ、ｂ、６１２ａ、ｂ）を含むデータ伝送（４００、６００ａ、ｂ）を含み、
前記第１及び第２のデータ伝送路が、それぞれの第１及び第２のダウンリンクデータ伝送路及びそれぞれの第１及び第２のアップリンクデータ伝送路を含み、
前記第２のデータ伝送路を介した前記ダウンリンクデータ伝送（６０７ｂ、６０８ｂ）が、前記第１のダウンリンクデータ伝送路を介した前記ダウンリンクデータ伝送（４０７、４０８、６０７ａ、６０８ａ）に対して遅延され、
前記方法は、基地局（７２０、８２０）によって実行され、
前記データ伝送（４００、６００ａ、ｂ）のペイロードデータの処理に関連する基地局の処理時間が短縮されないように前記データ伝送スキームを構成するステップを含む、
ことを特徴とする方法。
【請求項２】
前記データ伝送スキームを構成するステップが、前記第２のダウンリンクデータ伝送路を介した前記ダウンリンクデータ伝送（６０８ｂ）を受け取った時間に基づいて前記アップリンクデータ伝送（４１０、６１０ａ、６１０ｂ）の送信をスケジュールするステップを含む、
ことを特徴とする請求項１に記載の方法。
【請求項３】
前記データ伝送スキームを構成するステップが、前記アップリンクデータ伝送（４１０、４１２、６１０ａ、ｂ、６１２ａ、ｂ）の前記データフレーム（４０２、６０２ａ、ｂ）のうちの１つのサブフレーム（４５２、６５２ａ、ｂ）の最後のシンボル（４５０、６５０ａ、ｂ）を非ペイロードデータに割り当てるステップを含む、
ことを特徴とする請求項１又は２に記載の方法。
【請求項４】
前記割り当てステップが、前記アップリンクデータ伝送（４１０、４１２、６１０ａ、ｂ、６１２ａ、ｂ）の前記データフレーム（４０２、６０２ａ、ｂ）のうちの前記１つのサブフレーム（４５２、６５２ａ）の前記最後のシンボル（４５０、６５０ａ、ｂ）を、１又はそれ以上の周波数の非ペイロードデータに割り当てるステップを含む、
ことを特徴とする請求項３に記載の方法。
【請求項５】
前記割り当てられるサブフレーム（４５２、６５２ａ）が、時間的に連続するアップリンクデータ伝送（４１０、４１２、６１０ａ、ｂ、６１２ａ、ｂ）の最後のサブフレームである、
ことを特徴とする請求項３又は４に記載の方法。
【請求項６】
前記非ペイロードデータが、アップリンクデータ伝送（４１０、４１２、６１０ａ、ｂ、６１２ａ、ｂ）のチャネル品質を示す、
ことを特徴とする請求項３から５のいずれか１項に記載の方法。
【請求項７】
前記スケジュールするステップが、前記第１及び第２のアップリンクデータ伝送路を介した前記アップリンクデータ伝送（４１０、６１０ａ、６１０ｂ）の前記送信のためのそれぞれの第１及び第２のタイミング（ＴＡ）を示す第１及び第２の情報を定義するステップを含み、前記第１のタイミング（ＴＡ）が、前記第２のタイミング（ＴＡ）と同一である、
ことを特徴とする請求項２から６のいずれか１項に記載の方法。
【請求項８】
前記第１のデータ伝送路を介した前記データ伝送（６００ａ）が、第１の伝送キャリアに関連し、前記第２のデータ伝送路を介した前記データ伝送（６００ｂ）が、第２の伝送キャリアに関連する、
ことを特徴とする請求項１から７のいずれか１項に記載の方法。
【請求項９】
前記スケジュールするステップが、前記第２の伝送キャリアを、前記アップリンクデータ伝送（６１０ａ、ｂ、６１２ａ、ｂ）の前記送信のためのタイミング基準として定義するステップを含む、
ことを特徴とする請求項８に記載の方法。
【請求項１０】
前記スケジュールするステップが、前記第２の伝送キャリアが前記アップリンクデータ伝送（６１０ａ、ｂ、６１２ａ、ｂ）の前記送信のためのタイミング基準であることを示す情報を送信するステップを含む、
ことを特徴とする請求項８又は９に記載の方法。
【請求項１１】
前記第１及び第２の伝送路を介した前記データ伝送（４００）が、１つの伝送キャリアに関連する、
ことを特徴とする請求項１から７のいずれか１項に記載の方法。
【請求項１２】
前記スケジュールするステップが、前記第１のダウンリンクデータ伝送路を介した前記ダウンリンクデータ伝送（４０６〜４０８）と前記スケジュールされたアップリンク伝送（４１０、４１２）を時間的に同期させるステップを含む、
ことを特徴とする請求項１１に記載の方法。
【請求項１３】
通信ネットワークにおいてデータフレーム（４０２、６０２ａ、ｂ）に基づいてデータ伝送スキームを構成するための基地局（７２０、８２０）であって、
前記通信ネットワークにおける通信が、第１及び第２のデータ伝送路を介したダウンリンク及びアップリンクデータ伝送（４０６、４０７、４０８、４１０、４１２、６０６ａ、ｂ、６０７ａ、ｂ、６０８ａ、ｂ、６１０ａ、ｂ、６１２ａ、ｂ）を含み、
前記第１及び第２のデータ伝送路が、それぞれの第１及び第２のダウンリンクデータ伝送路及びそれぞれの第１及び第２のアップリンクデータ伝送路を含み、
前記第２のデータ伝送路を介した前記ダウンリンクデータ伝送（６０７ｂ、６０８ｂ）が、前記第１のダウンリンクデータ伝送路を介した前記ダウンリンクデータ伝送（４０７、４０８、６０７ａ、６０８ａ）に対して遅延され、
前記基地局（７２０、８２０）が、前記データ伝送のペイロードデータの処理に関連する基地局の処理時間が短縮されないように前記データ伝送スキームを構成するように構成された構成ユニット（８６６）を備える、
ことを特徴とする基地局（７２０、８２０）。
【請求項１４】
前記基地局（７２０、８２０）が、ロングタームエボリューション通信ネットワーク又はロングタームエボリューション・アドバンスト通信ネットワークのｅＮｏｄｅＢである、
ことを特徴とする請求項１３に記載の基地局（７２０、８２０）。
【発明の詳細な説明】
【技術分野】
【０００１】
本発明は、電気通信の分野に関し、具体的には、通信ネットワークにおいてデータフレームに基づいてデータ伝送スキームを構成する方法及びそのための基地局、コンピュータ要素、及びコンピュータ可読媒体に関する。
【背景技術】
【０００２】
ロングタームエボリューション（ＬＴＥ）無線アクセスネットワークの導入は、データを高データレートで、かつ拡張可能な帯域幅で伝送する可能性をもたらした。ＬＴＥネットワークアーキテクチャでは、基地局であるｅＮｏｄｅＢがセル内に存在する。基地局は、やはりセル内に存在する少なくとも１つのユーザ装置と通信して、ダウンリンク及びアップリンクの両方のデータ伝送方向にデータを伝送するように構成される。
【０００３】
ＬＴＥネットワークにおける（又はＬＴＥ−Ａｄｖａｎｃｅｄネットワークにおける）通信は、３ＧＰＰ技術仕様書３６．２０１  ｖ．９．１に従って規定される。詳細には、ユーザ装置とｅＮｏｄｅＢの間のデータ伝送は、７階層の開放型システム間相互接続（ＯＳＩ）モデルの「レイヤ１」とも呼ばれる物理層を通して行われる。ダウンリンクデータ伝送のデータは、物理データ共有チャネル（ＰＤＳＣＨ）、物理ダウンリンク制御チャネル（ＰＤＣＣＨ）、及び物理自動再送要求（ＡＲＱ）インジケータチャネル（ＰＨＩＣＨ）を介して伝送され、アップリンクデータ伝送のデータは、物理アップリンク制御チャネル（ＰＵＣＣＨ）及び物理アップリンク共有チャネル（ＰＵＳＣＨ）を介して伝送される。ペイロードデータは、ＰＤＳＣＨ及びＰＵＳＣＨを通して伝送される。
【０００４】
ダウンリンク及びアップリンク方向におけるデータ伝送は、時間的及び周波数的に分散されたリソースブロックに基づき、データは、データフレーム内で周波数分割二重（ＦＤＤ）又は時分割二重（ＴＤＤ）を用いて割り当てられる。データフレームはサブフレームを含み、これらのサブフレームの各々は、１ミリ秒（ｍｓ）に等しい１伝送時間間隔（ＴＴＩ）の時間長を含む。例えば、非ＴＴＩバンドリングＦＤＤの場合、データフレームは、各伝送方向の８つのハイブリッド自動再送要求（ＨＡＲＱ）処理に割り当てられた８つのサブフレームを含む。一般に、データフレームは、利用可能な帯域幅内で拡大縮小が可能であり、０．５ｍｓのスロット継続時間にわたり、サブキャリア帯域幅が１５キロヘルツ（ｋＨｚ）の１２個のサブキャリア、又はサブキャリア帯域幅が７．５ｋＨｚの２４個のサブキャリアのいずれかに及ぶ。各アップリンクサブフレームは、時間長が６６．７マイクロ秒（μｓ）の１２個又は１４個のシングルキャリア周波数分割多元接続（ＳＣ−ＦＤＭＡ）シンボルを含み、これに伝送すべきデータがマッピングされる。これらのシンボルは、４．６９μｓ又は１６．７μｓのサイクリックプレフィックス（ＣＰ）期間を介して互いに時間的に分離される。
【０００５】
図１を参照すると、ＬＴＥネットワークにおけるデータフレーム１０２に基づくデータ伝送１００を示している。ここでは、データ伝送１００は、ＦＤＤ及び非ＴＴＩバンドリングに基づく。データフレーム１０２は、ＨＡＲＱラウンドトリップ期間内に８個のサブフレーム１０４を含む。ダウンリンクデータ伝送１０６、１０８の割り当てサブフレーム１０４がｅＮｏｄｅＢからユーザ装置に送信され、サブフレーム１０４のｅＮｏｄｅＢとユーザ装置の間の信号伝搬時間に相当する時間間隔「Ｔ＿ｐｒｏｐａｇａｔｉｏｎ」後にユーザ装置で受け取られる。この割り当てサブフレーム１０４は、ユーザ装置から送信されるアップリンクデータ伝送のためのＵＬグラントを含む。
【０００６】
ペイロードデータを含むアップリンクデータ伝送１１２の割り当てサブフレーム１０９のユーザ装置からｅＮｏｄｅＢへの信号伝搬時間に相当する時間間隔Ｔ＿ｐｒｏｐａｇａｔｉｏｎ後に、このサブフレーム１０９がｅＮｏｄｅＢで受け取られる。通常、ダウンリンクデータ伝送１０６の伝搬時間とアップリンクデータ伝送１１０の伝搬時間は全く同じ、又は同様の規模である。ダウンリンクデータ伝送１０６とアップリンクデータ伝送１１２を時間的に同期させるために、アップリンクデータ伝送１１０は、ユーザ装置においてダウンリンクデータ伝送１０８を受け取った時間に基づいて、時間「タイミングアドバンス（ＴＡ）」だけ時間的に早く送信される。時間ＴＡは、信号伝搬時間Ｔ＿ｐｒｏｐａｇａｔｉｏｎの２倍の時間長を含む。従って、ｅＮｏｄｅＢにおけるダウンリンクデータ伝送１０６のサブフレーム端部とアップリンクデータ伝送１１２のサブフレーム端部は、時間的に整列する。しかしながら、ｅＮｏｄｅＢの実装によっては、ダウンリンクデータ伝送１０６のサブフレーム端部とアップリンクデータ伝送１１２のサブフレーム端部が時間的に同一にスケジュールされず、わずかな時間差分だけ異なることがある。ダウンリンクデータ伝送１０８のデータのためのユーザ装置の処理時間は、３ｍｓ−ＴＡに相当する。受け取ったアップリンクデータ伝送１１２のデータのためのｅＮｏｄｅＢの処理時間は、３ｍｓの長さを含む。
【０００７】
以下では、ｅＮｏｄｅＢとユーザ装置の間の通信に、いわゆる非キャリアアグリゲーション、すなわちシングルキャリアＬＴＥ通信アーキテクチャを想定する。さらに、ｅＮｏｄｅＢは、複数のトランシーバユニットを含む。従って、ｅＮｏｄｅＢとユーザ装置の間のデータ伝送は、ダウンリンクデータ伝送及びアップリンクデータ伝送の両方に関し、複数のトランシーバユニットを介した複数のデータ伝送路を含むことができる。
【０００８】
図２を参照すると、それぞれのＬＴＥ（又はＬＴＥ−Ａｄｖａｎｃｅｄ）ネットワークアーキテクチャを示している。ｅＮｏｄｅＢ２２０は、ユーザ装置２２２と通信するように構成される。ｅＮｏｄｅＢ２２０は、データ伝送機能を実装するベースバンドモジュール２２４、及び複数のトランシーバユニット２２６、２２８を含む。トランシーバユニット２２６は、ベースバンドモジュール２２４に近接又は接近して配置され、光ファイバ２２９を介してベースバンドモジュール２２４に通信可能に接続された、例えばアンテナなどの無線周波数（ＲＦ）モジュールとして構成される。トランシーバユニット２２８は、ＲＦモジュール２２６に比べてベースバンドモジュール２２４から離れて位置し、光ファイバ２３０を介してベースバンドモジュール２２４に通信可能に接続されたリモートラジオヘッド（ＲＲＨ）ＲＦモジュールとして構成される。ＲＦモジュール２２６及びＲＲＨ２２８は、いずれもエアインターフェイスを介してユーザ装置２２２に接続される。リモートトランシーバユニット２２８への通信はデジタルのままであり、従って劣化しないので、リモートトランシーバユニット２２８を使用すると、ｅＮｏｄｅＢ２２０の空間的サービス範囲を拡張することができ、ｅＮｏｄｅＢ２２０の空間的サービス範囲にわたって均一な伝送品質が保証される。具体的には、ＲＲＨ２２８は、橋の上、トンネル内、又は大型の建築物上に配置することができる。
【０００９】
ダウンリンクデータ伝送においてｅＮｏｄｅＢ２２０により送信される信号は、トランシーバユニット２２６、２２８に関連する第１のデータ伝送路２３２ａ及び第２のデータ伝送路２３２ｂを構成することができる。第１の伝送路２３２ａは、ベースバンドモジュール２２４とＲＦモジュール２２６の間の第１の伝送路セクション２３４ａ、及びＲＦモジュール２２６とユーザ装置２２２の間の第２の伝送路セクション２３６ａを含む。第２の伝送路２３２ｂは、ベースバンドモジュール２２４とＲＲＨ２２８の間の第１の伝送路セクション２３４ｂ、及びＲＲＨ２２８とユーザ装置２２２の間の第２の伝送路セクション２３６ｂを含む。アップリンクデータ伝送においてユーザ装置２２２により送信される信号も、第１の伝送路２３２ａ及び第２の伝送路２３２ｂに沿って伝搬することができる。
【００１０】
従って、異なるトランシーバユニット２２６、２２８を介してダウンリンクデータ伝送のデータを伝送すると、ユーザ装置２２２における受信時間が異なることがある。詳細には、第２のダウンリンクデータ伝送路２３２ｂを介したダウンリンクデータ伝送は、ダウンリンクデータ伝送路２３２ａを介したダウンリンクデータ伝送に比べて顕著な時間遅延を含むことがあり、この時間遅延は、ファイバ２２９に沿った信号伝搬時間に比べてファイバ２３０に沿った信号伝搬時間の方が長いことに起因する。ユーザ装置では、異なるトランシーバを介したデータ伝送を時間的に同期して受け取る必要があるので、第２のダウンリンクデータ伝送路２３２ｂを介したダウンリンクデータ伝送が遅延することにより、データ伝送品質が低下することがある。
【００１１】
ＲＦモジュール２２６を介したダウンリンクデータ伝送を人為的に遅延させて、第１のデータ伝送路２３２ａ及び第２のデータ伝送路２３２ｂを介したダウンリンクデータ伝送、従ってアップリンクデータ伝送を時間的に再び同期できるようにすることが知られている。
【００１２】
図３を参照すると、図２のデータ伝送路２３２ａを介した非ＴＴＩバンドリングＦＤＤベースのデータ伝送３００を示している。ＲＦモジュール２２６を介したダウンリンクデータ伝送３０７を、ｅＮｏｄｅＢ２２０において人為的に遅延させる。ダウンリンクデータ伝送路２３２ａを介したダウンリンクデータ伝送３０７の遅延を、ダウンリンクデータ伝送路２３２ｂを介したダウンリンクデータ伝送の実際の遅延と一致するように選択した場合、データ伝送３００のタイミングスキームは、データ伝送路２３２ｂを介したデータ伝送のタイミングスキームに一致する。
【００１３】
さらに、データ伝送３００は、ＲＦモジュール２２６を介したダウンリンクデータ伝送３０６の送信前に、ベースバンドモジュール２２４からデータ伝送路セクション２３４ｂを介してＲＲＨ２２８に送信されるダウンリンク信号の伝搬時間に相当する時間遅延「Ｔ＿ＲＲＨ」が導入されることを除き、データ伝送１００と同一である。ここで、Ｔ＿ｐｒｏｐａｇａｔｉｏｎは、ＲＦモジュール２２６を介してベースバンドモジュール２２４とユーザ装置２２２の間で送信される遅延のない信号の信号伝搬時間を示す。さらに、ベースバンドモジュール２２４とＲＦモジュール２２６の間で送信される信号の信号伝搬時間は、ほとんどゼロであると想定される。従って、ＲＦモジュール２２６を介したダウンリンクデータ伝送３０８をユーザ装置２２２において受け取る前には、レイテンシが加わる。ＲＦモジュール２２６を介した遅延したダウンリンクデータ伝送３０７とアップリンクデータ伝送３１２のサブフレーム端部が時間的に整合するという点で、ＲＦモジュールを介した遅延したダウンリンクデータ伝送３０７とアップリンクデータ伝送３１２は、ｅＮｏｄｅＢ２２０において互いに同期する。従って、ｅＮｏｄｅＢの３ｍｓの処理時間は、Ｔ＿ＲＲＨだけ短くなる（３ｍｓ−Ｔ＿ＲＲＨ）。さらに、ＲＦモジュール２２６及びＲＲＨ２２８を介したダウンリンクデータ伝送のためのユーザ装置２２２の処理時間は、３ｍｓ−ＴＡに相当する。
【００１４】
また、ＬＴＥ−Ａｄｖａｎｃｅｄネットワークは、データ伝送レートを高めるために、データ伝送に最大５つの伝送キャリア（いわゆるコンポーネントキャリア）を使用できるキャリアアグリゲーションネットワークもサポートする。コンポーネントキャリアの各々は、各々がダウンリンク及びアップリンクデータ伝送を含む少なくとも１つのデータ伝送に関連し、異なるコンポーネントキャリアに関連するデータ伝送は、伝送周波数によって互いに分離される。異なるキャリアコンポーネントに関連するデータ伝送で送信されるデータは、互いに同一でないことがある。
【００１５】
異なるコンポーネントキャリアに関連するデータ伝送は、ｅＮｏｄｅＢ２２０のＲＦモジュール２２６及びＲＲＨ２２８などの異なるトランシーバユニットを利用することができる。例えば、第１のキャリアコンポーネントに関連する第１のデータ伝送は、ＲＦモジュール２２６を利用でき、一方、第２のコンポーネントキャリアに関連する第２のデータ伝送は、ＲＲＨ２２８、又はやはりｅＮｏｄｅＢ２２０から離れて配置された周波数選択リピータを利用できるといったことが可能である。従って、第１のコンポーネントキャリアに関連するデータ伝送は、伝送路２３２ａを含むことができ、第２のコンポーネントキャリアに関連するデータ伝送は、伝送路２３２ｂを構成することができる。上述したように、異なるダウンリンクデータ伝送路２３２ａ、ｂ間には時間遅延が存在する。さらに、異なるコンポーネントキャリアに関連するデータ伝送間には時間シフトが存在する。従って、非キャリアアグリゲーション通信ネットワークアーキテクチャに関連して上述した問題は、さらに複雑になる。
【００１６】
従って、複数のデータ伝送路を介したデータ伝送は、通信ネットワークの関連するノードに負の影響を与えることがある。具体的には、基地局とその通信相手との間のマルチパス通信の通信品質を低下させることがある。
【先行技術文献】
【非特許文献】
【００１７】
【非特許文献１】３ＧＰＰ技術仕様書３６．２０１  ｖ．９．１
【発明の概要】
【発明が解決しようとする課題】
【００１８】
マルチパス通信ネットワークのための改善されたデータ伝送スキームを提供することを本発明の目的とすることができる。
【課題を解決するための手段】
【００１９】
上述の目的を達成するために、独立請求項による、通信ネットワークにおいてデータフレームに基づいてデータ伝送スキームを構成する方法、及び通信ネットワークにおいてデータフレームに基づいてデータ伝送スキームを構成するための基地局を提供する。
【００２０】
本発明の例示的な態様によれば、通信ネットワークにおいてデータフレームに基づいてデータ伝送スキームを構成する方法が提供され、この通信ネットワークにおける通信は、第１及び第２のデータ伝送路を介したダウンリンク及びアップリンクデータ伝送を含むデータ伝送を含み、この第１及び第２のデータ伝送路は、それぞれの第１及び第２のダウンリンクデータ伝送路及びそれぞれの第１及び第２のアップリンクデータ伝送路を含み、第２のデータ伝送路を介したダウンリンクデータ伝送は、第１のダウンリンクデータ伝送路を介したダウンリンクデータ伝送に対して遅延され、この方法は、基地局によって実行され、データ伝送のペイロードデータの処理に関連する基地局の処理時間が短縮されないようにデータ伝送スキームを構成するステップを含む。
【００２１】
本発明の別の例示的な態様によれば、通信ネットワークにおいてデータフレームに基づいてデータ伝送スキームを構成するための基地局が提供され、この通信ネットワークにおける通信は、第１及び第２のデータ伝送路を介したダウンリンク及びアップリンクデータ伝送を含み、この第１及び第２のデータ伝送路は、それぞれの第１及び第２のダウンリンクデータ伝送路及びそれぞれの第１及び第２のアップリンクデータ伝送路を含み、第２のデータ伝送路を介したダウンリンクデータ伝送は、第１のダウンリンクデータ伝送路を介したダウンリンクデータ伝送に対して遅延され、この基地局は、データ伝送のペイロードデータの処理に関連する基地局の処理時間が短縮されないようにデータ伝送スキームを構成するように構成された構成ユニットを含む。
【００２２】
本発明の別の例示的な態様によれば、プログラム要素が提供され、このプログラム要素は、プロセッサによる実行時に、上述したような通信ネットワークにおいてデータフレームに基づいてデータ伝送スキームを構成する方法を実施又は制御するように構成される。
【００２３】
本発明の別の例示的な態様によれば、通信ネットワークにおいてデータフレームに基づいてデータ伝送スキームを構成するためのコンピュータプログラムを記憶したコンピュータ可読媒体が提供され、このコンピュータプログラムは、プロセッサによる実行時に、上述したような通信ネットワークにおいてデータフレームに基づいてデータ伝送スキームを構成する方法を実施又は制御するように構成される。
【００２４】
本出願では、「データ伝送スキーム」という用語は、特にデータ伝送のタイミング及び／又はデータ伝送中に使用可能なデータ伝送リソースの割り当てに関するデータ伝送の基礎を成す原理を意味することができる。例えば、データ伝送スキームは、特に基地局又はその通信相手がデータを送信及び／又は受信する時間を定めることができる。また、例えば、データ伝送スキームは、データ伝送中に使用可能なデータリソースの量及び／又は配分を定めることもできる。
【００２５】
「データフレーム」という用語は、特にデータ伝送中に使用可能な（特に時間的及び／又は周波数的に分散された）データ伝送リソースの単位を意味することができる。詳細には、データフレームは、（特に時間的及び／又は周波数的に分散された）サブフレームを含むことができる。
【００２６】
「通信ネットワーク」という用語は、特に通信相手と通信するために基地局が存在できるあらゆるネットワークを意味することができる。詳細には、通信ネットワークは、基地局の通信相手をコアネットワークに接続できる無線アクセスネットワークとして適合することができる。詳細には、基地局の通信相手は、通信ネットワークの一部を成すことができる。
【００２７】
「データ伝送」という用語は、特に基地局とその通信相手との間におけるデータ、特にペイロードデータ（例えば、音声、オーディオ及び／又はメディア）及びそれ以外のデータ（例えば、シグナリングに関するデータ）の転送を意味することができる。詳細には、データ伝送は、データを伝送するために送信される１又は複数の信号に関連することができる。詳細には、「ダウンリンクデータ伝送」という用語は、特に基地局からその通信相手に向かうデータ伝送を意味することができる。詳細には、「アップリンクデータ伝送」という用語は、特に基地局の通信相手から基地局に向かうデータ伝送を意味することができる。詳細には、ダウンリンクデータ伝送は、アップリンクデータ伝送のためのアップリンクグラントを含むことができ、アップリンクデータ伝送は、ペイロードデータを含むことができる。
【００２８】
「データ伝送路」という用語は、特にデータ伝送のデータのルーティングトラックを意味することができる。詳細には、データ伝送路は、データ伝送に関連する信号の物理的経路とすることができる。詳細には、ダウンリンクデータ伝送は、第１及び第２のダウンリンクデータ伝送路を含むことができ、アップリンクデータ伝送は、第１及び第２のアップリンクデータ伝送路を含むことができる。詳細には、第１のダウンリンクデータ伝送路と第１のアップリンクデータ伝送路は、同一の伝送路に対応してもよく、又は異なる伝送路に対応してもよい。詳細には、第２のダウンリンクデータ伝送路と第２のアップリンクデータ伝送路は、同一の伝送路に対応してもよく、又は異なる伝送路に対応してもよい。
【００２９】
「第１のダウンリンクデータ伝送路を介したダウンリンクデータ伝送に対して遅延した第２のダウンリンクデータ伝送路を介したダウンリンクデータ伝送」という用語は、特に基地局が、第２のダウンリンクデータ伝送路を介したダウンリンクデータ伝送を、第１のダウンリンクデータ伝送路を介したダウンリンクデータ伝送よりも時間的に遅く送信できること、及び／又は基地局の通信相手が、第２のダウンリンクデータ伝送路を介したダウンリンクデータ伝送を、第１のダウンリンクデータ伝送路を介したダウンリンクデータ伝送よりも時間的に遅く受信できることを意味することができる。
【００３０】
本発明の例示的な態様による方法、基地局、コンピュータプログラム、及びコンピュータ可読媒体は、データ伝送スキームを改善して、アップリンクデータ伝送のペイロードデータのための基地局の処理時間を維持又は増加させることができる。従って、第２のダウンリンクデータ伝送路を介したダウンリンクデータ伝送の遅延が、通信中に基地局のパフォーマンスに負の影響を与えることがないので、通信ネットワーク及び基地局とその通信相手との間の通信品質を改善することができる。
【００３１】
次に、通信ネットワークにおいてデータフレームに基づいてデータ伝送スキームを構成する方法のさらなる例示的な実施形態について説明する。しかしながら、これらの実施形態は、それぞれの基地局、それぞれのコンピュータプログラム、及びそれぞれのコンピュータ可読媒体にも当てはまる。
【００３２】
データ伝送スキームの構成は、第２のダウンリンクデータ伝送路を介したダウンリンクデータ伝送を受け取った時間に基づいてアップリンクデータ伝送の送信をスケジュールすることを含むことができる。詳細には、「データ伝送の送信をスケジュールする」という用語は、特にアップリンクデータ伝送の送信のタイミング及び／又は使用する周波数リソースを定めることを意味することができる。例えば、基地局は、特定の時点及び／又は特定の周波数（レンジ）でアップリンクデータ伝送の送信を開始することができる。詳細には、ダウンリンクデータ伝送及びアップリンクデータ伝送が１つの信号を含むことができる場合、第２のダウンリンクデータ伝送路を介したダウンリンクデータ伝送の信号を遅れて受け取ったことに基づいて、アップリンクデータ伝送の信号を送信することができる。詳細には、アップリンクデータ伝送が、第１のアップリンクデータ伝送路を介して送信される信号と、第２のアップリンクデータ伝送路を介して送信される別個の信号とを含むことができる場合、基地局は、第１のアップリンクデータ伝送路を介したアップリンクデータ伝送の信号の送信を、第２のアップリンクデータ伝送路を介したアップリンクデータ伝送の信号を送信する時点前後まで遅延させることができる。アップリンクデータ伝送の送信は、後から送信するアップリンクデータ伝送が、アップリンクデータ伝送のペイロードデータの処理に関連する基地局の処理時間に負の影響を与えないように行うことができる。さらに、第１のダウンリンクデータ伝送路を介したダウンリンクデータ伝送の受信に基づく時間ではなく、第２のダウンリンクデータ伝送路を介したダウンリンクデータ伝送の受信に基づく時間にアップリンクデータ伝送を送信できるので、第２のダウンリンクデータ伝送路を介したダウンリンクデータ伝送のデータのための基地局の通信相手の処理時間が短縮されることもない。さらに、基地局の通信相手において、第１及び第２のダウンリンク伝送路を介したダウンリンクデータ伝送を同一時間に受け取る必要がないので、データ伝送スキームを容易にすることができる。従って、第２のダウンリンクデータ伝送路を介したダウンリンクデータ伝送の遅延という基地局の通信相手に対する負の影響を補償できるので、通信システムのパフォーマンスを改善することができる。
【００３３】
データ伝送スキームの構成は、アップリンクデータ伝送のデータフレームのうちの１つのデータフレームのサブフレームの最後のシンボルを非ペイロードデータに割り当てることを含むことができる。従って、ペイロードデータ伝送の継続時間を短縮できるので、アップリンクデータ伝送のペイロードデータの処理に関連する基地局の処理時間を増やすことができる。詳細には、基地局がペイロードデータのために利用できる処理時間を、割り当てサブフレームの最後のシンボルの時間長に相当する時間だけ、また任意にサブフレームの最後のシンボルと最後から２番目のシンボルとの間に空き時間がある場合にはこれに相当する時間だけ増やすことができる。詳細には、ペイロードデータのための割り当てサブフレームの長さを１シンボル分短縮できるので、基地局は、受け取ったペイロードデータの処理をより早い時点で開始することができる。詳細には、別様に割り当てられた最後のシンボルに必要な処理時間がペイロードデータよりも大幅に短縮され、これによりペイロードデータしか含まないサブフレームの処理時間と比べ、割り当てサブフレームの全体的な処理時間が短縮される。
【００３４】
詳細には、一方のアップリンクデータ伝送路を介したアップリンクデータ伝送の伝送時間が、他方のデータ伝送路を介したアップリンクデータ伝送の伝送時間よりも長くなり得る場合、サブフレームの割り当ては、一方のアップリンクデータ伝送路を介したアップリンクデータ伝送の時間遅延を考慮することもできる。
【００３５】
詳細には、この割り当ては、アップリンクデータ伝送のデータフレームのうちの１つのデータフレームのサブフレームの複数のシンボルを非ペイロードデータに割り当てることを含むことができる。詳細には、これらのシンボルに割り当てられた非ペイロードデータは、同一の情報を含むことも、又は異なる情報を含むこともできる。従って、第１のアップリンクデータ伝送のデータのための基地局の処理時間をさらに増やすことができる。
【００３６】
この割り当ては、第１のアップリンクデータ伝送のデータフレームのうちの１つのデータフレームのサブフレームの最後のシンボルを、１又はそれ以上の周波数の非ペイロードデータに割り当てることを含むことができる。サブフレームの最後のシンボルをより多くの周波数に、特に利用及び使用が可能な周波数帯域の全ての周波数に割り当てると、周波数的により多くのデータリソースをアップリンクデータ伝送のペイロードデータに使用でき、従って全ての利用可能な周波数データリソースから割り当てサブフレームを容易に選択できるので、アップリンクデータ伝送に対するデータリソースの割り当てを容易にすることができる。従って、データ伝送スキームを単純化することにより、データ伝送中のデータ処理及び／又はデータの記憶に関連する基地局の容量を増やすことができる。詳細には、アップリンクデータ伝送のデータレートを高めて、割り当てサブフレーム内のペイロードデータの減少を少なくとも部分的に補償できるようにすることができる。
【００３７】
割り当てサブフレームは、時間的に連続するアップリンクデータ伝送の最後のサブフレームとすることができる。詳細には、「時間的に連続するアップリンクデータ伝送」という用語は、特にペイロードデータを伝送するための時間的に連続したサブフレームを含むアップリンクデータ伝送、又はペイロードデータを伝送するための時間的に連続しておらず時間的に分散されたサブフレームを含むアップリンクデータ伝送を意味することができる。従って、アップリンクデータ伝送においてより多くのデータ量を伝送できるように、このデータ伝送スキームをアップリンクデータ伝送の「サブフレームバンドリング」に適用することもできる。詳細には、ＬＴＥネットワーク又はＬＴＥ−Ａｄｖａｎｃｅｄネットワークにおけるサブフレーム又はＴＴＩバンドリングの場合、この割り当てサブフレームを、ＦＤＤベースのアップリンクデータ伝送の４つのサブフレームのうちの最後のサブフレーム、又はＴＤＤベースのアップリンクデータ伝送の時間的に最後のサブフレームとすることができる。
【００３８】
非ペイロードデータは、（特に以前の又は進行中の）アップリンクデータ伝送のチャネル品質を示すことができる。詳細には、非ペイロードデータは、ＬＴＥ及びＬＴＥ−Ａｄｖａｎｃｅｄネットワークで使用されるサウンディング基準信号（ＳＲＳ）を含むことができる。従って、非ペイロードデータは、シグナリングに関連するデータを含むことができ、従ってアップリンクデータ伝送の伝送制御の管理に使用することができる。詳細には、非ペイロードデータの処理時間は、ペイロードデータの処理時間よりも大幅に短くすることができるので、最後のシンボルを非ペイロードデータに割り当てることにより、割り当てサブフレームのための基地局の全体的な処理時間を短縮することができる。詳細には、実際の既存のシグナリング手順と比べて、非ペイロードデータを送信するための別の選択肢を提供できるので、アップリンクデータ伝送の伝送制御の管理を容易にすることができる。
【００３９】
このスケジューリングは、第１及び第２のアップリンクデータ伝送路を介したアップリンクデータ伝送を送信するそれぞれの第１及び第２のタイミングを示す第１及び第２の情報を定義することを含むことができ、この場合、第１のタイミングは、第２のタイミングと同一とすることができる。詳細には、第１及び第２のタイミングは、基地局のデータ伝送のための空間的サービス範囲を示すことができる。詳細には、基地局が、第１及び第２のデータ伝送路を介したアップリンクデータ伝送を、それぞれのデータを処理するのに適した時間に受け取れるように第１及び第２のタイミングを選択することができる。詳細には、第１及び第２のデータ伝送路をそれぞれ介したダウンリンクデータ伝送を受け取った時間に基づいて、第１及び第２のデータ伝送路を介したアップリンクデータ伝送を、第１及び第２のタイミングだけ時間的に早く送信することができる。従って、通信ネットワークにおいて既存の通信手順の修正を冗長化するという観点から、通信ネットワークにおいて第１及び第２のデータ伝送路を介したアップリンクデータ伝送の送信タイミングに関する従来の手順を使用することにより、基地局により実行されるデータフロー制御を容易にすることができる。詳細には、アップリンクデータ伝送が１つの信号に関連する場合、第１及び第２のタイミングを自動的に同一にすることができる。詳細には、データ伝送が複数の信号に関連する場合、第１及び第２のタイミングを同一にすることにより、第１及び第２のアップリンクデータ伝送路を介したアップリンクデータ伝送を時間的に同期させることができる。
【００４０】
詳細には、アップリンクデータ伝送のスケジューリングを行わずに、第１及び第２のタイミングをアップリンクデータ伝送の送信タイミングと同一にすることができる。従って、従来このタイミングによって定められる基地局の空間的サービス範囲が、従来のタイミング値と比べて別の第１及び第２のタイミングの値を選択することによって変化する（特に減少する）ことはない。
【００４１】
詳細には、基地局の通信相手は、基地局の空間的サービス範囲に入ると、第１及び第２の情報を利用できるようになる。
【００４２】
詳細には、通信ネットワークが、ＬＴＥネットワーク及びＬＴＥ−Ａｄｖａｎｃｅｄネットワークである場合、第１及び第２のタイミングは、特にダウンリンクデータ伝送を受け取った時間に同期させたアップリンクデータ伝送を送信するタイミングの付勢を示す「タイミングアドバンス（ＴＡ）」時間に相当することができる。
【００４３】
第１のデータ伝送路を介したデータ伝送は、第１の伝送キャリアに関連することができ、第２のデータ伝送路を介したデータ伝送は、第２の伝送キャリアに関連することができる。従って、データ伝送スキームを構成する方法は、少なくとも２つの伝送キャリアを介してデータ伝送を行うことができるキャリアアグリゲーション通信ネットワークアーキテクチャに適用することができる。詳細には、第１及び第２のデータ伝送路を介したダウンリンクデータ伝送は、２つの別個の信号に関連することができ、第１及び第２のデータ伝送路を介したアップリンクデータ伝送も、２つの別個の信号に関連することができる。詳細には、異なる伝送キャリアを介して送信されるデータ伝送の情報は、互いに異なり得る。詳細には、データ伝送に複数の伝送キャリアを使用すると、データ伝送のデータレートが高まり、これによりデータ伝送を大幅に速めることができる。詳細には、複数伝送キャリア通信ネットワークでは、第２のダウンリンクデータ伝送路を介したダウンリンクデータ伝送の送信を、第１のダウンリンクデータ伝送路を介したダウンリンクデータ伝送の送信よりも時間的に遅らせることができる。詳細には、アップリンクデータ伝送を遅らせることにより、第２のデータ伝送路を介したダウンリンクデータ伝送が後から受け取られるにも関わらず、第２のデータ伝送路を介したダウンリンクデータ伝送のための基地局の通信相手の処理時間を増やすことができる。また、アップリンクデータ伝送のサブフレームの最後のシンボルに非ペイロードデータを割り当てることにより、特にアップリンクデータ伝送を後から送信したことによって短縮された、アップリンクデータ伝送のデータのための基地局の処理時間を補償することができる。
【００４４】
詳細には、この方法は、第１のダウンリンクデータ伝送路を介したデータ伝送を、基地局において、特に基地局のトランシーバユニットのアンテナコネクタに関連する地点において遅延させるステップを含むことができる。これにより、第１のダウンリンクデータ伝送路を介したダウンリンクデータ伝送を容易に遅延させることができる。
【００４５】
ＬＴＥ−Ａｄｖａｎｃｅｄネットワークの場合、伝送キャリアの各々が、特に５つのコンポーネントキャリアのうちの１つのコンポーネントキャリアとして適合することができる。
【００４６】
スケジュールリングは、第２の伝送キャリア、特に第２の伝送キャリアに関連する第２のデータ伝送路を介したダウンリンクデータ伝送を、アップリンクデータ伝送を送信するためのタイミング基準として定義することを含むことができる。詳細には、この定義は、第２の伝送キャリアを、第１の伝送キャリア（及び特に全ての利用可能な伝送キャリア）の同期先の伝送キャリアとしてマッピングすることを含むことができる。
【００４７】
詳細には、ＬＴＥ−Ａｄｖａｎｃｅｄネットワークの場合、この定義は、後から受け取ったコンポーネントキャリアを、複数のコンポーネントキャリアに関連する複数のアップリンク伝送路を介したアップリンクデータ伝送のためのタイミング基準を表すことができるいわゆるプライマリコンポーネントキャリアにマッピングすることを含むことができる。詳細には、基地局の通信相手は、基地局の空間的サービス範囲に入るとすぐに、特にプライマリシステム情報同報メッセージでプライマリコンポーネントキャリアに関する情報を受け取ることができる。
【００４８】
スケジューリングは、第２の伝送キャリア、特に第２の伝送キャリアに関連する第２のデータ伝送路を介したダウンリンクデータ伝送を、アップリンクデータ伝送を送信するためのタイミング基準とすることができる旨を示す情報を送信することを含むことができる。従って、基地局は、特にそれぞれの情報を含むメッセージを送信することにより、その伝送キャリアがタイミング基準であることを通信相手に明示的に通知することができる。従って、データ伝送に利用及び／又は使用できる伝送キャリアを変更した場合でも、タイミング基準である伝送キャリアを動的に調整することができる。
【００４９】
第１及び第２の伝送路を介したデータ伝送は、１つの伝送キャリアに関連することができる。従って、データ伝送スキームを構成する方法は、基地局の異なるトランシーバユニットが通信相手との間で（特に同一の）データを（特に同時に）送受信できるシングルキャリア通信ネットワークアーキテクチャ又は非キャリアアグリゲーション通信ネットワークアーキテクチャのいずれにも適用することができる。詳細には、第２のダウンリンクデータ伝送路を介したダウンリンクデータ伝送の遅延は、第１のダウンリンクデータ伝送路に沿った信号伝搬時間に比べて第２のダウンリンクデータ伝送路に沿った信号伝搬時間の方が長いことによって生じ得る。詳細には、第２のデータ伝送路を介したダウンリンクデータ伝送の遅延は、第１のダウンリンクデータ伝送路を介したダウンリンクデータ伝送に関連する、及び／又は「より低速の」インターフェイスを介して基地局の基本的構成要素に接続された別のトランシーバユニットの場所に比べて、基地局の基本的構成要素から、トランシーバユニットのうちの基地局の基本的構成要素からより離れたものの場所という観点から見た基地局のトランシーバユニットへの信号伝搬経路に沿ったダウンリンク信号の信号伝搬時間の方が長いことによって生じ得る。詳細には、第２のデータ伝送路を介したダウンリンクデータ伝送の遅延は、基地局のトランシーバユニットから基地局の通信相手への信号伝搬経路に沿ったダウンリンク信号の信号伝搬時間の方が長いことによって生じ得る。詳細には、第２のデータ伝送路を介したダウンリンクデータ伝送を受け取ったタイミングに基づくアップリンクデータ伝送のスケジューリングは、第１のデータ伝送路を介したダウンリンクデータ伝送を、特に基地局から遠隔のトランシーバユニットにデータを伝送するための期間に相当する期間だけ遅らせることによって自動的に行うことができる。
【００５０】
詳細には、この方法は、基地局における、特に基地局のトランシーバユニットの上流の地点における、さらに特に基地局のベースバンドモジュールと基地局のトランシーバユニットとの間における第１のダウンリンクデータ伝送路を介したデータ伝送を遅延させるステップを含むことができる。これにより、第１のダウンリンクデータ伝送路を介したダウンリンクデータ伝送を容易に遅延させることができる。
【００５１】
スケジューリングは、第２のダウンリンクデータ伝送路を介したダウンリンクデータ伝送とスケジュールされたアップリンク伝送を時間的に同期させることを含むことができる。詳細には、「ダウンリンクデータ伝送をアップリンクデータ伝送と時間的に同期させる」という用語は、特にダウンリンクデータ伝送とアップリンクデータ伝送の間の時間シフトを調整することを意味することができる。例えば、基地局又はその通信相手のいずれかにおいて、ダウンリンクデータ伝送及びアップリンクデータ伝送のデータ（サブ）フレーム端部を時間的に整列させることができる。
【００５２】
次に、通信ネットワークにおけるデータ伝送スキームを構成するための基地局のさらなる例示的な実施形態について説明する。しかしながら、これらの実施形態は、それぞれの方法、それぞれのコンピュータプログラム、及びそれぞれのコンピュータ可読媒体にも当てはまる。
【００５３】
この基地局は、ロングタームエボリューション（ＬＴＥ）通信ネットワーク又はロングタームエボリューション・アドバンスト（ＬＴＥ−Ａｄｖａｎｃｅｄ）通信ネットワークのｅＮｏｄｅＢとすることができる。詳細には、ＬＴＥネットワークは、非キャリアアグリゲーションネットワークアーキテクチャを可能にすることができ、ＬＴＥ−Ａｄｖａｎｃｅｄネットワークは、シングルキャリアネットワークアーキテクチャ又は複数キャリアアグリゲーション通信ネットワークアーキテクチャを可能にすることができる。詳細には、ＬＴＥ又はＬＴＥ−Ａｄｖａｎｃｅｄネットワークにおける通信のデータ伝送は、ＦＤＤ又はＴＤＤに基づくことができる。
【００５４】
詳細には、この基地局は、ＧＳＭ（登録商標）エッジ無線アクセスネットワーク（ＧＥＲＡＮ）のベーストランシーバ局（ＢＴＳ）として適合することができる。詳細には、この基地局は、ＵＭＴＳ地上波無線アクセスネットワーク（ＵＴＲＡＮ）のＮｏｄｅＢとして適合することができる。
【００５５】
詳細には、基地局の通信相手は、ユーザ装置又は端末とすることができる。
【００５６】
以下で説明する実施形態例から、本発明の上記の及びさらなる態様が明らかになり、これらの態様について以下の実施形態例を参照しながら説明する。以下、実施形態例を参照しながら本発明についてより詳細に説明するが、本発明はこれらの例に限定されるわけではない。
【図面の簡単な説明】
【００５７】
【図１】ＬＴＥ無線アクセスネットワークにおけるデータ伝送を示す図である。
【図２】ＬＴＥ無線アクセスネットワークのシングルコンポーネントキャリア通信アーキテクチャを示す図である。
【図３】ＬＴＥ無線アクセスネットワークにおける別のデータ伝送を示す図である。
【図４】本発明の例示的な実施形態による、ＬＴＥネットワークにおいてデータフレームに基づいてデータ伝送スキームを構成する方法に従う、ＬＴＥネットワークにおけるシングルコンポーネントキャリアのデータ伝送を示す図である。
【図５】図４に示すアップリンクデータ伝送に対するデータ伝送リソースの割り当てを示す図である。
【図６】本発明の別の例示的な実施形態による、ＬＴＥネットワークにおいてデータフレームに基づいてデータ伝送スキームを構成する方法に従う、ＬＴＥネットワークにおける２つのコンポーネントキャリアのデータ伝送を示す図である。
【図７】本発明の例示的な実施形態によるｅＮｏｄｅＢの構成を示す図である。
【図８】本発明の別の例示的な実施形態によるｅＮｏｄｅＢの構成を示す図である。
【発明を実施するための形態】
【００５８】
図面内の図は概略図である。なお、異なる図においては、同様の又は同一の要素には、同じ参照符号又はそれぞれの参照符号と最初の桁のみが異なる参照符号を与える。
【００５９】
図４を参照すると、本発明の例示的な態様による、ＬＴＥネットワークにおいてデータフレームに基づいてデータ伝送スキームを構成する方法に基づくデータ伝送４００を示している。
【００６０】
データ伝送４００は、シングルキャリア（又は非キャリアアグリゲーション）ＬＴＥネットワークアーキテクチャに関連し、ｅＮｏｄｅＢは、ユーザ装置と通信するためのトランシーバユニットであるＲＦモジュール及びＲＲＨを含む。さらに、データ伝送４００は、ＦＤＤを採用し、非ＴＴＩバンドリングに基づく。ダウンリンクデータ伝送中には、ｅＮｏｄｅＢからユーザ装置に１つの信号が送信され、アップリンクデータ伝送中には、ユーザ装置からｅＮｏｄｅＢに１つの信号が送信される。図２を参照すると、ダウンリンクデータ伝送及びアップリンクデータ伝送は、いずれもデータ伝送路２３２ａ、ｂに関連することができる。図示のデータ伝送４００は、ＲＦモジュールを介したｅＮｏｄｅＢとユーザ装置の間のデータ伝送を表すものである。
【００６１】
簡単にするために、以下では、単一の信号に関連するものであっても、異なるデータ伝送路を介したダウンリンク及びアップリンクデータ伝送をダウンリンク及びアップリンクデータ伝送と呼ぶ。
【００６２】
ＲＦモジュールを介したダウンリンクデータ伝送４０６は、ｅＮｏｄｅＢのベースバンドモジュールとＲＲＨの間の信号伝搬時間の方が長いという点で、ＲＲＨを介したダウンリンクデータ伝送の時間遅延にほぼ一致する時間Ｔ＿ＲＲＨだけ遅延される。従って、ＲＦモジュールを介したダウンリンクデータ伝送４０８は、Ｔ＿ＲＲＨを伴わずに送信されるＲＦモジュールを介した実際のダウンリンクデータ伝送に比べ、時間的に遅れて受け取られる。ここで、Ｔ＿Ｐｒｏｐａｇａｔｉｏｎは、ＲＦモジュールを介したｅＮｏｄｅＢのベースバンドモジュールとユーザ装置の間の（遅延のない）ダウンリンクデータ伝送４０７の伝搬時間を表す。
【００６３】
８つのサブフレームのＨＡＲＱラウンドトリップ時間を維持しながら時間遅延Ｔ＿ＲＲＨを補償するために、本発明の例示的な実施形態による方法に従うデータ伝送スキームは、アップリンクデータ伝送４１０、４１２のタイミングスキーム、及びアップリンクデータ伝送４１０、４１２のデータ伝送リソースに関する割り当てスキームを予測する。
【００６４】
データ伝送スキームのタイミングスキームは、ＲＲＨを介したダウンリンクデータ伝送を受け取った時間、並びにダウンリンク及びアップリンクデータ伝送４０８、４１２の伝搬時間Ｔ＿Ｐｒｏｐａｇａｔｉｏｎの２倍に等しいｅＮｏｄｅＢのセルの従来のタイミングアドバンス（ＴＡ）値を使用することに基づいてアップリンクデータ伝送４１０を送信することに基づく。従って、例えばダウンリンクデータ伝送４０８のサブフレーム端部とアップリンクデータ伝送４１２のサブフレーム端部は時間的にほとんど一致しているので、ＲＦモジュールを介した遅延したダウンリンクデータ伝送４０８とアップリンクデータ伝送４１２は時間的に同期する。
【００６５】
従来のセル仕様に比べてＴＡ値が同一であるため、事実上の最大セル範囲は一定に保たれる。さらに、ＲＲＨを介したダウンリンクデータ伝送のデータ処理に関連するユーザ装置の処理時間３ｍｓ−ＴＡも、図１に示すデータ伝送１００に比べて短縮されない。
【００６６】
さらに、このデータ伝送スキームは、ペイロードデータを含むアップリンクデータ伝送４１０、４１２のサブフレーム４５２の最後のシンボル４５０が、非ペイロードデータ、すなわちサウンディング基準信号（ＳＲＳ）に割り当てられることも予測する。従って、サブフレーム４５２のうちの１３個（従来のサイクリックプレフィックス）のシンボルのみがペイロードデータに割り当てられる。例示を目的として、最後のシンボル４５０を点線の長方形で示している。最後のシンボル４５０の時間長４５４は、この最後のシンボルのための約６６．７μｓを含み、最後のシンボルと最後から２番目のシンボルの間に存在するＣＰのための約４．３μｓの時間長を含む。
【００６７】
割り当てられたＳＲＳは、進行中のアップリンクデータ伝送４１０、４１２のチャネル品質を示し、ＰＵＣＣＨを介してＰＵＳＣＨとは別個に送信される。従って、ＰＵＳＣＨに割り当てられるサブフレーム長は、１シンボル分だけ短くなる。
【００６８】
ｅＮｏｄｅＢは、ペイロードデータに割り当てられた最後のシンボル（ここではサブフレーム４５２の１３番目のシンボル）を受け取った時点で、受け取ったサブフレーム４５２のデータの処理を開始する。従って、ｅＮｏｄｅＢが、受け取ったアップリンクデータ伝送４１２のペイロードデータの処理を開始する時点は、図１に示すサブフレーム１０９のデータの処理を開始する時点と比べて時間的に早い。従って、非ペイロードデータに割り当てられた最後のシンボルの時間プラスＣＰ時間だけｅＮｏｄｅＢの処理時間が増し、結果としてｅＮｏｄｅＢの処理時間が７１．３μｓ増す。合計すると、ｅＮｏｄｅＢの処理時間は３ｍｓになる。さらに、ｅＮｏｄｅＢのセル範囲は一定に保たれ、アップリンクデータ伝送のためのユーザ装置の処理時間は３ｍｓ−ＴＡに等しい。
【００６９】
ｅＮｏｄｅＢによりユーザ装置に送信されＲＦモジュールを介して伝搬される信号は遅延し、アップリンクデータ伝送中には１つの信号しか送信されないので、ＲＲＨを介したｅＮｏｄｅＢとユーザ装置の間のデータ伝送はデータ伝送４００と同一である。
【００７０】
なお、２つの異なるＲＦモジュールを介したｅＮｏｄｅＢとユーザ装置の間のデータ伝送の時間シフトはＣＰの時間長内に収まり、ＲＦモジュールの一方によるダウンリンク及び／又はアップリンクデータ伝送が遅延する可能性によってアップリンクデータ伝送のためのｅＮｏｄｅＢの処理時間が短縮されることはない。
【００７１】
図５を参照すると、本発明の例示的な実施形態による、ＬＴＥネットワークにおいてデータフレームに基づいてデータ伝送スキームを構成する方法に従う、アップリンクデータ伝送４１０、４１２に対するデータリソースの割り当てを示している。
【００７２】
データリソース５６０は時間的及び周波数的に分散し、これを座標軸ｘ及びｙによってそれぞれ示す。時間方向では、各サブフレーム５０４ａ、ｂに１４個のＳＣ−ＦＤＭＡシンボル５６２が割り当てられる。周波数方向では、データリソース５６０が（ＰＲＢによって示す）５０個の物理リソースブロック５６４を含み、これの各々が、１５ｋＨｚの周波数範囲（物理リソースブロック５６４の周波数範囲間の周波数ギャップを含む）を含む。アップリンクデータ伝送の総帯域幅は１０ＭＨｚになる。１つのサブフレーム５０４ａ、ｂは、物理リソースブロック５６４の割り当て量に応じて拡張可能な帯域幅を含む。
【００７３】
帯域の端部における３つの物理リソースブロック５６４のシンボル５６２はＰＵＣＣＨに割り当てられ、チャネル品質インジケータ（ＣＱＩ）、肯定応答／否定応答（Ａｃｋ／Ｎａｃｋ）情報などの情報を含む。４〜９及び４２〜４７の番号を付けたペイロードデータを伝送するための１２個の物理リソースブロック５６４は、恒久的にＰＵＳＣＨに割り当てられる。１０〜４１の番号を付けた物理リソースブロック５６４はＰＵＳＣＨに対してスケジュールされ、時間的に最後のシンボルはＳＲＳに割り当てられる。さらに、時間的に４番目及び１１番目ごとのシンボル５６２は、進行中のアップリンクデータ伝送のチャネル品質を推定するために使用可能な変調基準信号（ＤＭ  ＲＳ）に割り当てられる。４〜９及び４２〜４７の番号を付けた物理リソースブロック５６４を、１０〜４１の番号を付けた物理リソースブロック５６４と同様に割り当てることもできる。
【００７４】
物理リソースブロック１０〜４１は３つのユーザ装置間で共有され、このうち物理リソースブロック１０〜２５は第１のユーザ装置に割り当てられ、物理リソース２６〜３３は第２のユーザ装置に割り当てられ、物理リソースブロック３４〜４１は第３のユーザ装置に割り当てられる。ユーザ装置が、ＲＦモジュールを介してしかｅＮｏｄｅＢと通信できない場合、物理リソースブロック５６４の最後のシンボルを非ペイロードデータに割り当てる必要がない場合もある。
【００７５】
図４のデータ伝送４００は、第２のユーザ装置のリソース割り当てに関連する。サブフレーム４５２が、図４の割り当てサブフレームである。このサブフレームは、３つの物理リソースブロック５６４の周波数範囲及び時間的に１４個のシンボルを含み、最後のシンボルはＳＲＳである。
【００７６】
４つのサブフレームを含むアップリンクデータ伝送では、時間的に最後から４番目のサブフレームの最後のシンボルをＳＲＳに割り当てることができる。アップリンクデータ伝送に対するこのようなデータリソース割り当ては、アップリンクサブフレームバンドリング又はＴＴＩバンドリングと呼ばれる。
【００７７】
図４及び図５を参照しながら上述したデータ伝送スキームは、ＰＵＳＣＨの処理時間要件を緩和する。ＳＲＳなどの他のアップリンクデータ伝送信号及びＰＵＣＣＨなどの他のチャネルが割り当てサブフレームの最後のシンボルを占めることがあると、ＰＵＳＣＨデータのためのｅＮｏｄｅＢの利用可能な処理時間が短縮されることがある。しかしながら、ＳＲＳ及びＰＵＣＣＨ情報の処理に関連するｅＮｏｄｅＢの処理時間は、ＰＵＳＣＨの処理時間よりも大幅に短いので、ＰＵＳＣＨのペイロードデータの処理時間に比べて重要でない場合もある。
【００７８】
一般に、図３に示すデータ伝送３００に比べると、ｅＮｏｄｅＢの３ｍｓの処理時間、ＴＡ値に相当する最大セル範囲、及びユーザ装置の３ｍｓ−ＴＡの処理時間が維持されるように、最大７１．３μｓ又は８３．３μｓのダウンリンク遅延補償を行うことができる。
【００７９】
サブフレームの最後のシンボルにＳＲＳを割り当てることにより、ＲＲＨを介したアップリンクデータ伝送の遅延を考慮することもできる。
【００８０】
図６を参照すると、本発明の別の例示的な実施形態による、ＬＴＥ−Ａｄｖａｎｃｅｄネットワークにおいてデータフレームに基づいてデータ伝送スキームを構成する方法に従うデータ伝送を示している。この基礎を成す伝送アーキテクチャはキャリアアグリゲーションのケースに関連し、ここではデータ伝送６００ａ、ｂが、第１のコンポーネントキャリア及び第２のコンポーネントキャリアにそれぞれ関連する。各コンポーネントキャリアでは、ダウンリンクデータ伝送で１つの信号が送信され、アップリンクデータ伝送で１つの信号が送信される。第１のコンポーネントキャリアは、いわゆるプライマリコンポーネントキャリアを表し、第２のコンポーネントキャリアは、いわゆるセカンダリコンポーネントキャリアを表す。従来、セカンダリコンポーネントキャリアのアップリンクデータ伝送は、プライマリコンポーネントキャリアのダウンリンク伝送に時間的に同期し、すなわちセカンダリコンポーネントキャリアに関連するアップリンクデータ伝送は、プライマリコンポーネントキャリアに関連するダウンリンクデータ伝送を受け取った時間に基づいて送信される。このデータ伝送はＦＤＤを採用し、非ＴＴＩバンドリングに基づく。
【００８１】
第１のキャリアコンポーネントに関連するデータ伝送６００ａは、ダウンリンク及びアップリンク方向の両方に関して、第１のＲＲＨを介したｅＮｏｄｅＢからユーザ装置へのデータ伝送路を含む。第２のキャリアコンポーネントに関連するデータ伝送６００ｂは、ダウンリンク及びアップリンク方向に関して、第１のＲＲＨよりもｅＮｏｄｅＢから離れた第２のＲＲＨを介したｅＮｏｄｅＢからユーザ装置へのデータ伝送路を含む。
【００８２】
第２のＲＲＨを介したダウンリンクデータ伝送６０７ｂは、第１のＲＲＨを介したダウンリンクデータ伝送６０７ａに対して、時間Ｔ＿ＲＲＨ，ｂ−Ｔ＿ＲＲＨ，ａだけ遅延する。従って、ユーザ装置における第２のＲＲＨを介したダウンリンクデータ伝送６０８ｂの受け取りは、ユーザ装置における第１のＲＲＨを介したダウンリンクデータ伝送６０８ａの受け取りに対して遅延する。ここで、Ｔ＿Ｐｒｏｐａｇａｔｉｏｎは、ＲＦモジュールを介してｅＮｏｄｅＢのベースバンドモジュールとユーザ装置の間で送信される遅延のない信号の信号伝搬時間を示す。さらに、第１のＲＲＨを介したデータ伝送６００ａと第２のＲＲＨを介したデータ伝送６００ｂに関連するＴ＿Ｐｒｏｐａｇａｔｉｏｎはほぼ同じである。Ｔ＿ＲＲＨ，１は、ｅＮｏｄｅＢのベースバンドモジュールから第１のＲＲＨを介してユーザ装置に送信される信号の信号伝搬時間の、信号伝搬時間Ｔ＿Ｐｒｏｐａｇａｔｉｏｎと比較した時間遅延を示す。Ｔ＿ＲＲＨ，２は、ｅＮｏｄｅＢのベースバンドモジュールから第２のＲＲＨを介してユーザ装置に送信される信号の信号伝搬時間の、信号伝搬時間Ｔ＿Ｐｒｏｐａｇａｔｉｏｎと比較した時間遅延を示す。第１のＲＲＨを介したダウンリンクデータ伝送６０８ａを受け取った時間に基づいて、第２のＲＲＨを介したアップリンクデータ伝送６１０ｂの送信を同期させると、第２のＲＲＨを介したダウンリンクデータ伝送６０８ｂの受信データのためのユーザ装置の処理時間が短縮されるようになる。
【００８３】
従って、このデータ伝送スキームは、第１のＲＲＨを介したアップリンクデータ伝送６１０ａの送信が、第２のＲＲＨを介したアップリンクデータ伝送６１０ｂの送信時間まで遅延されるという点で、第１のコンポーネントキャリアが第２のコンポーネントキャリアに時間的に同期すると予測する。ここで、第１及び第２のコンポーネントキャリアに関連するＴＡ値が同一であることに留意されたい。さらに、このデータ伝送スキームは、アップリンクデータ伝送６１０ａ、ｂ、６１２ａ、ｂの割り当てサブフレームの最後のシンボルを、非ペイロードデータ、すなわちＳＲＳに割り当てられるように定義する。従って、最大セル範囲を維持しながら、アップリンクデータ伝送６１２ａ、ｂのためのｅＮｏｄｅＢの３ｍｓの増加した処理時間が実現される。
【００８４】
なお、サブフレーム端部を一致させるという観点からすれば、ダウンリンクデータ伝送６０７ｂとアップリンクデータ伝送６１２ｂは時間的に同期するが、ダウンリンクデータ伝送６０７ａとアップリンクデータ伝送６１２ａは時間的に同期しない。アップリンクデータ伝送６１２ａ、ｂは、ダウンリンクデータ伝送６０８ｂに対して時間的に整列する。
【００８５】
ダウンリンクデータ伝送６０７ａの時間遅延Ｔ＿ＲＲＨ，ａは、ゼロに等しくすることができる。
【００８６】
アップリンクデータ伝送６１０ａのスケジュールされた送信を可能にするために、データ伝送６００ｂに関連する第２のコンポーネントキャリアを、第１及び第２のＲＲＨを介したアップリンクデータ伝送６１０ａ、ｂを送信するためのタイミング基準として定義する。この目的のために、ユーザ装置がｅＮｏｄｅＢのセル範囲に入った時点でユーザ装置に提供する好適なプライマリシステム同報情報を定義することにより、第２のコンポーネントキャリアがプライマリコンポーネントキャリアとなるようにマッピングされる。或いは、ｅＮｏｄｅＢは、それぞれの情報を含むメッセージを送信することにより、第２のコンポーネントキャリアがプライマリコンポーネントキャリアであることをユーザ装置に通知することができる。
【００８７】
なお、ＴＤＤベースのデータ伝送では、ｅＮｏｄｅＢのアップリンクからダウンリンクへ（受信から送信へ）の切り替えを可能にするために、ｅＮｏｄｅＢのベースバンドモジュールにおいて、ダウンリンクサブフレームのタイミングに比べてアップリンクサブフレームのタイミングの方が、増加したＴＡ値だけわずかに先行する。
【００８８】
図７を参照すると、図４、図６のデータ伝送４００、６００ａのデータ伝送スキームを構成するｅＮｏｄｅＢの構成を示している。ｅＮｏｄｅＢ７２０は、ベースバンドモジュール７２２、ＲＦモジュール７２４の形の第１のトランシーバユニット、すなわちアンテナ、及びＲＲＨ  ＲＦモジュール７２６の形の第２のトランシーバユニットを含む。ＲＦモジュール７２４は、ベースバンドモジュール７２２に配置され、ＲＲＨ  ＲＦモジュール７２６は、ファイバを介してベースバンドモジュール７２２から離れてこれに接続される。
【００８９】
ベースバンドモジュール７２２は、ｎビットデータの行ベクトルをｎビットデータの列ベクトルに変換するように構成された直並列（Ｓ／Ｐ）変換ユニット７２８と、受け取ったビットをＱＰＳＫ又は１６ＱＡＭ又は６４ＱＡＭシンボルに変換するように構成された変調器ユニット７３０と、シンボルをデータフレームのサブキャリアに分散するように構成されたサブキャリアマッピングユニット７３２と、逆高速フーリエ変換によって信号を周波数領域から時間領域に変換するように構成されたＮ−逆高速フーリエ変換ユニット７３４と、伝送するデータシンボル間にＣＰを挿入するように構成されたＣＰ挿入ユニット７３６と、ｎビットの列データ信号をｎビットデータの行信号に変換するように構成された並直列（Ｐ／Ｓ）変換ユニット７３８と、ＲＦモジュール７２４に供給する信号に遅延を加えるように構成された遅延バッファユニット７４０とを含む。さらに、遅延バッファユニット７４０の上流の地点７４１から、ＲＲＨ  ＲＦモジュール７２６に同一の信号又はデータが供給される。
【００９０】
図４に示すデータ伝送タイミングスキームを可能にするために、ｅＮｏｄｅＢ７２０の地点７４２において、ダウンリンク及びアップリンクデータ伝送４０７、４１２をそれぞれ同期させる。地点７４２は、バッファユニット７４０の下流かつＲＦモジュール７２４の上流に配置される。ダウンリンクデータ伝送６０７ａ、ｂの遅延は、ｅＮｏｄｅＢ７２０のＲＦモジュール７２４及びＲＲＨ  ＲＦモジュール７２６の、ダイオード７４６ａ、ｂとアンテナ７４８ａ、ｂの間のアンテナコネクタに対応する地点７４４ａ、ｂにおいて実行される。
【００９１】
図８を参照しながら、本発明の別の例示的な実施形態による、ＬＴＥ通信ネットワークにおいてデータフレームに基づいてデータ伝送スキームを構成するためのｅＮｏｄｅＢ８２０の構成について説明する。ｅＮｏｄｅＢ８２０は、ユーザ装置に情報、特にデータを送信するように構成された送信ユニットＴ１００を含む。さらに、ｅＮｏｄｅＢ８２０は、ユーザ装置から情報、特にデータを受け取るように構成された受信ユニットＲ１００を含む。さらに、ｅＮｏｄｅＢ８２０は、ＬＴＥネットワークにおいてデータフレームに基づいてデータ伝送スキームを構成する方法に関連する情報、特にデータを処理するように構成された処理ユニットＰ１００と、ＬＴＥネットワークにおいてデータフレームに基づいてデータ伝送スキームを構成する方法に関連する情報、特にデータを記憶するように構成されたストレージユニットＣ１００とを含む。詳細には、処理ユニットＰ１００は、データ伝送のペイロードデータの処理に関連する基地局の処理時間が短縮されないようにデータ伝送スキームを構成するように構成された構成ユニット８６６を含む。
【００９２】
詳細には、構成ユニット８６６は、第２のダウンリンクデータ伝送路を介したダウンリンクデータ伝送を受け取った時間に基づいてアップリンクデータ伝送の送信をスケジュールするように構成されたスケジューリングユニットと、アップリンクデータ伝送のデータフレームのうちの１つのサブフレームの最後のシンボルを非ペイロードデータに割り当てるように構成された割り当てユニットとを含む。しかしながら、これらのスケジューリングユニット及び割り当てユニットを別個のユニットとして具体化することもできる。
【００９３】
これに加えて又はこれの代わりに、ｅＮｏｄｅＢ８２０は、ｅＮｏｄｅＢ７２０のユニット又は構成要素のうちの少なくとも１つを含むこともできる。
【００９４】
なお、「含む（ｃｏｍｐｒｉｓｉｎｇ）」という用語は、他の要素又はステップを除外するものではなく、冠詞「ａ」又は「ａｎ」の使用は、複数を除外するものではない。また、異なる実施形態に関連して説明した要素を組み合わせることもできる。また、特許請求の範囲における参照符号は、特許請求の範囲を限定するものであると見なすべきではない。
【符号の説明】
【００９５】
４００  データ伝送
４０２  データフレーム
４０４  サブフレーム
４０６  バッファ前のｅＮＢにおけるＤＬ
４０７  バッファ後のｅＮＢにおけるＤＬ
４０８  ダウンリンクデータ伝送
４１０  アップリンクデータ伝送
４１２  アップリンクデータ伝送
４５０  最後のシンボル
４５２  サブフレーム
４５４  最後のシンボルの時間長
【図１】
2013541279.tif 000003
【図２】
2013541279.tif 000004
【図３】
2013541279.tif 000005
【図４】
2013541279.tif 000006
【図５】
2013541279.tif 000007
【図６】
2013541279.tif 000008
【図７】
2013541279.tif 000009
【図８】
2013541279.tif 000010
【国際調査報告】
2013541279.tif 000011
2013541279.tif 000012
2013541279.tif 000013
2013541279.tif 000014
2013541279.tif 000015